(57)【要約】【課題】  薄剛板を外装下地材に採用した通気性断熱複合パネルでコンクリート外壁を、外装下地材の剥離脱落が生じないように被覆する。【解決手段】  薄剛板の外装下地材２Ａを通気層Ｇを介在して断熱層２Ｃに層着した通気性断熱複合パネル１を、コンクリート外壁に、複合パネル１の内側（通気層）と外側の空気層差が生じないように、外壁下端、横目地及び外壁上端を通気層Ｇの開放形態に配置し、外装下地材２Ａに負荷する負圧力を抑制する。【選択図】    図１
2010255194.tif 000002
【特許請求の範囲】
【請求項１】
乾式密着型の通気性断熱複合パネル（１）で被覆した鉄筋コンクリート外断熱建築物の外壁構造であって、通気性断熱複合パネル（１）は、発泡プラスチック系断熱層（２Ｃ）と成形薄剛板の外装下地材（２Ａ）とを、縦方向に間隔配置した縦桟（２Ｂ）群を介して一体化し、各縦桟（２Ｂ）間を通気層（Ｇ）としたものであり、通気性断熱複合パネル相互を、上下左右に断熱層（２Ｃ）の当接形態で配置すると共に、通気性断熱複合パネル（１）相互の上下接続部では、上側パネル（１）と下側パネル（１）間の外装下地材（２Ａ）間を通気用の横目地（ｄｘ）として開放し、外壁被覆パネル層の、下端、上端及び中間横目地（ｄｘ）を通気用に開放した外壁構造。
【請求項２】
通気性断熱複合パネル（１）は、等幅の断熱層（２Ｃ）と外装下地材（２Ａ）とを、上下に貫通する縦桟（２Ｂ）群で、両側端（２Ｌ，２Ｒ）では、縦桟（２Ｂ）と外装下地材（２Ａ）とを面一に、且つ断熱層（２Ｃ）と外装下地材（２Ａ）とを、相欠け接合用の段差（ｄ１）を保って一体化層着した、請求項１に記載の外壁構造。
【請求項３】
通気性断熱複合パネル（１）相互の上下当接部は、断熱層（２Ｃ）相互を気密シート（２Ｆ）を介在して衝合当接し、複合パネル（１）の外装下地材（２Ａ）下端には、内方に上昇する傾斜辺（２Ｋ）を配置し、外装下地材（２Ａ）の表面に張着した外装材（３）の下端（３ｄ）を外装下地材（２Ａ）の下端（Ａｄ）より雨切り段差（ｄａ）下方に突出して、横目地（ｄｘ）の間隔からの雨水の通気層（Ｇ）内への浸入を抑制した、請求項１又は２に記載の外壁構造。
【請求項４】
上側外装材下端（３ｄ）と下側外装材上端（３ｔ）との間隔を水膜抑制間隔とし、下側パネル（１）の外装下地材（２Ａ）の上端にも、内方に上昇する傾斜辺（２Ｋ´）を配置した、請求項３に記載の外壁構造。
【請求項５】
下側パネル（１）の上端では、外装材（３）の上端（３ｔ）に、外装下地材（２Ａ）の上端の傾斜辺（２Ｋ´）の延長形態の傾斜辺を配置し、上端に水返し（１７Ｕ）を備えた防水金具（１７）を、外装材上端（３ｔ）から外装下地材の傾斜辺（２Ｋ´）に亘って配置した、請求項４に記載の外壁構造。
【請求項６】
外壁の、下端の開口（Ｍｄ）、横目地の開口（Ｍｘ）及び上端の開口（Ｍｕ）の各開口面積が、少なくとも、通気性断熱複合パネル（１）の通気層（Ｇ）の開口面積と同一である、請求項１乃至５のいずれか１項に記載の外壁構造。
【請求項７】
外壁上端では、パネル通気層（Ｇ）に干渉しない形態で笠木ブラケット（５）を縦桟（２Ｂ）の上端（Ｂｔ）に固定し、笠木（４）を、通気層（Ｇ）からの空気流（ａ）の流出に干渉しないように配置した、請求項６に記載の外壁構造。
【請求項８】
通気性断熱複合パネル（１）相互の左右当接接合部の縦目地（ｄｙ）群の複数縦目地毎に、外装下地材（２Ａ）の左右方向伸縮を吸収するためのガスケット（１９）を挟着した調整縦目地（ｄｚ）を配置した、請求項１乃至７のいずれか１項に記載の外壁構造。
【請求項９】
外壁の下端では、外装下地材（２Ａ）下端の内方に上昇する傾斜辺２Ｋを配置し、傾斜辺（２Ｋ）及び傾斜辺（２Ｋ）と対向する断熱層（２Ｃ）の下端外面に、吸水止め材（２Ｍ）を付与し、外装材（３）の下端（３ｄ）を外装下地材（２Ａ）の下端（Ａｄ）から雨切り段差（ｄａ）下方に突出させた、請求項１乃至８のいずれか１項に記載の外壁構造。
【発明の詳細な説明】
【技術分野】
【０００１】
本発明は、鉄筋コンクリート造外断熱建物の外壁構造に関するものであって、建築の技術分野に属するものである。
【背景技術】
【０００２】
鉄筋コンクリート造外断熱建物の外壁構造として、乾式密着型の通気性断熱複合パネルで張設することは、図７に示す従来例１で既に提案され、実施されている。
従来例１（図７）は、本願出願人の提案した特許文献１で従来技術として挙げられたものであって、内面に通気用条溝群を備えた押出成形セメント板を、発泡プラスチック系断熱層と一体化層着した通気性断熱複合パネルを、外壁コンクリートの外側捨型枠として使用し、コンクリート外壁に一体的に被覆し、パネル上下接合部の横目地をクローズジョイントとして、腰水切から笠木まで、通気用条溝群で断熱層の外面を通気させるものである。
【０００３】
また、従来例２として挙げた図８は、特許文献２に開示されたものであって、図８（Ａ）に示す如く、断熱パネルと耐火性耐力面材とを、間隔配置したスペーサーを介して層着し、各スペーサー間を空気流路（通気層）とした通気性外断熱パネルを、スペーサー間の空気流路部位に配置したコンクリートアンカーを介してコンクリート外壁面に、捨型枠手法で層着し、図８（Ｂ）に示す如く、各パネルの上下間の横目地隙間には、取付片を備えた水切具を、水切具取付用に配置した上下パネル間の隙間から、耐火性耐力面材の内面の取付用凹溝への取付片の嵌入止着により配置し、外部からの空気流の、水切具の通気孔から上下パネル間のポート機能の隙間への流入、及び隙間からパネル内空気流路への流入を保証した、横目地のオープンジョイント型外断熱通気性外壁構造である。
【先行技術文献】
【特許文献】
【０００４】
【特許文献１】特開２００８−２１５９号公報
【特許文献２】特開２００２−３２２７４５号公報
【発明の概要】
【発明が解決しようとする課題】
【０００５】
従来例１（図７）の、横目地のクローズジョイントタイプの通気性外断熱外壁にあっては、通気用条溝を成形セメント板に形成しているため、成形セメント板が必然的に肉厚となり、パネルが重量物となるため、搬送、型枠組みの作業性が悪いこと、複合パネルへのセパレータ挿入用孔、アンカーボルト挿入用孔等の加工性が悪いこと、押出成形セメント板は広幅にすれば反りが生じるため細幅物となり、所定外壁面積当りの被覆パネル数が多くなって施工性が悪く、外壁の並列接合縦目地も多くなって仕上上も不利である。
【０００６】
しかも、複合パネルの必要剛性を負担する押出成形セメント板が通気条溝を備えているため、コンクリート外壁への張着状態では、上下複合パネルの押出成形セメント板間には、施工時の衝合欠損防止、完成建物での地震時のセメント板相互の欠損防止上から、上下パネルの接合部では、セメント板間に横目地間隔を形成、保持することが必要であるため、複合パネル相互の上下接合部、即ち横目地部の上下セメント板間での通気条溝の上下連通形態を保証する施工は、特殊な、且つ断面形状の小さなハニカム通気バッカーを採用して、本願出願人が開発した施工技術によってのみ可能であり、各パネルの上下接合部の通気施工は、煩雑、且つ精緻な作業であり、生産性の低い困難な作業である。
【０００７】
また、横目地間隔を密閉する機密性の高い外壁構造にあっては、押出成形セメント板（外装下地材）の外面と内面とに気圧差（屋外が高く、通気層内が低い）が生じ、降雨時には、通気層内に雨水を引き込む怖れがあり、風圧力での負圧作用（建物から離れようとする力）は、１００％外装下地材（押出成形セメント板）に負荷されるため、従来例１の外壁構造にあっては、外装材としてタイル等の重い部材を張着する場合は、外装の剥離危険性から５階建ての建物までが限度であり、高層建築への適用が不可能である。
【０００８】
従来例２（図８）の通気性外断熱外壁の施工にあっては、セパレータ及びコンクリートアンカーは、スペーサーに沿って空気流路内に配置するため、捨型枠の変位の問題があり、水切具はオープンジョイントのノンシールタイプであるが、水切具配置のために必要な上下パネル間の横目地隙間では、断熱パネルが上下間に外部空気流入用の隙間を有するため、横目地隙間、即ち上下パネルの断熱パネル間隙間、で熱橋作用が生じる。
その上、屋外からの正圧負荷、及び通気層内の負圧負荷により、水切具の取付片が剥離作用応力を受け、面材の薄肉凹部に損傷を与えて、水切具の損傷や、脱落の怖れもある。
また、外壁を伝う雨水は、水切板と耐火性耐力面材との当接部から毛細管張力によって凹溝を上昇し、空気流路内に吹出して、水切具後方のコンクリート露出面よりコンクリート躯体に染み込み、豆板（ジャンカ）などのコンクリート打設不良部から室内に漏出する怖れもある。
【０００９】
本発明は、従来例１（図７）や従来例２（図８）の問題点を、一挙に解決、又は改善する通気性外断熱外壁を提供するものであり、軽量化を可能とした通気性断熱複合パネルを採用し、横目地をオープンジョイントとして、コンクリート外壁を被覆する通気性断熱複合パネルの外側と内側との気圧差を均等とし、耐風圧で、雨水対応にも優れた通気性外断熱外壁を合理的に提供するものである。
【課題を解決するための手段】
【００１０】
本発明の外壁構造は、例えば図１に示す如く、乾式密着型の通気性断熱複合パネル１で被覆した鉄筋コンクリート外断熱建築物の外壁構造であって、通気性断熱複合パネル１は、発泡プラスチック系断熱層２Ｃと成形薄剛板の外装下地材２Ａとを、縦方向に間隔配置した縦桟２Ｂ群を介して一体化し、各縦桟２Ｂ間を通気層Ｇとしたものであり、通気性断熱複合パネル相互を、上下左右に断熱層２Ｃの当接形態で配置すると共に、通気性断熱複合パネル１相互の上下接続部では、上側パネル１と下側パネル１間の外装下地材２Ａ間を通気用の横目地ｄｘとして開放し、外壁被覆パネル層の、下端、上端及び中間横目地ｄｘを通気用に開放したものである。
【００１１】
この場合、発泡プラスチック系断熱層２Ｃは、押出法ポリスチレンフォーム、ビーズ法ポリスチレンフォーム、硬質ウレタンフォーム等のＪＩＳＡ９５１１の発泡プラスチック断熱板等が好ましく、典型的には、厚さ７５mmの押出法ポリスチレンフォーム板である。
また、外装下地材２Ａは、コンクリート型枠組みに耐え、外壁の外装下地材としての強度、耐風圧性、耐衝撃性、耐凍害性を満足させれば良く、板厚１５mm以下の、マグネシウムセメント板、フェノール樹脂板、フライアッシュフェノール樹脂板が好ましく、典型的には、厚さ１３mmの繊維混入フライアッシュフェノール樹脂板である。
【００１２】
また、縦桟２Ｂは、外装下地材２Ａよりも、耐衝撃及び曲げ強度が大で、寸法安定性が良く、線膨張率及び熱伝導率の小さいものが好ましいが、外装下地材２Ａが十分な物性を備えている場合は、外装下地材２Ａと同材質でも使用可能である。
そして、断熱層２Ｃと外装下地材２Ａとの縦桟２Ｂを介した一体化層着は、平板状縦桟２Ｂを挟着一体化しても良いが、一体化強度を確保するため、典型的には、幅５０mm、厚さ２０mmの縦桟２Ｂを、断熱層２Ｃの浅い（標準：５mm）嵌合溝２Ｇに嵌入形態で、ボルト挿入用孔ｈｂ及びセパレータ挿入用孔ｈｓ配置位置が縦桟２Ｂ上となるように、強固に層着する。
【００１３】
また、通気層２Ｇは、断熱層２Ｃ内に浸透して来る室内の湿気（水蒸気）を放出する機能と、外装下地材２Ａの外気による高温化を空気貫流によって冷却抑制する機能を奏するためのものであり、通気層Ｇの厚さは、必要最小限の温度差換気でのドラフト空気貫流（上昇空気流：０．０１ｍ／ｓ）を保証する必要があり、最小限の結露防止機能及び外装下地材２Ａの過加熱抑制機能を保証するため、通気層Ｇの厚さＴ３は、典型的には１５mm確保する。
【００１４】
また、複合パネル１相互の上下接続部に形成する横目地ｄｘの開放形態は、雨水の浸入を抑制し、且つ水膜で閉止されない限界値（コンクリート系水膜限界値：横目地が９．１mm、縦目地が２mm）以上を保って空気流入を保証すれば良く、典型的には、図５（Ａ）に示す如く、外装下地材２Ａの外面に外装材３を張着した状態で、上下外装材３間の横目地間隔ｄ６（標準：１２mm）確保し、上方外装材３の下端３ｄが上方外装下地材２Ａの下端Ａｄより雨切り段差ｄａ（標準：６mm）だけ下方とする。
【００１５】
従って、本発明の外壁構造にあっては、横目地ｄｘを開放目地型（オープンジョイント）として外気に開放し、複合パネル１群の張着で形成した被覆パネル層の、通気層Ｇの下端及び上端を外気に開放したため、外壁被覆層は、上端、中間横目地及び下端の開放と、通気層Ｇとて隙間を備えた外壁構造となり、外壁被覆層の外部（前面）、と内部（通気層）との気圧が略同等と出来たため、外装下地材２Ａへの内外面での気圧差による応力負荷が軽減出来て、外装下地材２Ａは、剥離作用の低減により脱落が抑制出来、耐久性が増大し、高層建築物への適用も可能となる。
【００１６】
そして、上下の外装下地材２Ａ相互は、横目地間隔ｄ６（標準：１２mm）を保って開放し、外装下地材２Ａの上下間に隙間を設け、各階の複合パネル１をコンクリート躯体と一体としているので、高層階の風圧力、地震時の水平力にも、各パネル１が一体挙動して、層間変形角（各階間の水平方向の相対変位差を階高で除した値）が大きくなっても、複合パネルの脱落は、コンクリート躯体に対する支持金具で阻止することが出来、上下方向応力負荷にあっても、外装下地材２Ａ相互の横目地間隔及び断熱層の柔軟性によって対応するため、複合パネル１の脱落の抑制出来た通気性外断熱外壁となる。
【００１７】
また、本発明の外壁構造にあっては、通気性断熱複合パネル１は、図２に示す如く、等幅の断熱層２Ｃと外装下地材２Ａとを、上下に貫通する縦桟２Ｂ群で、両側端２Ｌ，２Ｒでは、縦桟２Ｂと外装下地材２Ａとを面一に、且つ断熱層２Ｃと外装下地材２Ａとを、相欠け接合用の段差ｄ１を保って一体化層着したものが好ましい。
この場合、相欠け段差ｄ１は１０mmとすれば良く、典型的なパネルにあっては、図２（Ｂ）に示す如く、幅（ａ１）が５０mmの各縦桟２Ｂの５本を、両外側の幅（ａ３）が１５２．５mmの通気層Ｇと、中央両側の幅（ａ２）が１７７．５mmの通気層Ｇを形成して、両側の縦桟２Ｂの側端縁を外装下地材２Ａの側端縁と面一に、外装下地材２Ａと固定したものである。
【００１８】
従って、該複合パネル１でコンクリート外壁の外側型枠を構築する際には、各複合パネル１の並列接続が、両側縁の段差ｄ１（標準：１０mm）による相欠け接続となり、型枠組み作業が容易であると共に、打設コンクリートのセメント液（ノロ）の外部への流出が抑制出来、通気層Ｇのセメント液による流入損傷も避けられる。
【００１９】
そして、各縦桟２Ｂ間の空間は、パネル上下に貫通する大開口の通気層Ｇとなり、得られる外壁は、下端、中間横目地及び上端が大開口の通気層Ｇと連通して通気層Ｇの外壁外部との気圧の平準化を可能とし、外装下地材２Ａへの内外風圧差による剥離脱落作用が抑制出来る。
また、コンクリート型枠組みに際しても、慣用の、パネル落下防止アンカー群は、縦桟２Ｂの両側及び中央を介して配置することによる、外装下地材２Ａの損傷の怖れなく、パネル１の強固な保持が可能となる。
しかも、複合パネル１相互の縦目地ｄｙは密着閉止形態となるため、外装材３による外装仕上げも、簡便、且つきれいに施工出来る。
【００２０】
また、本発明の外壁構造にあっては、通気性断熱複合パネル１相互の上下当接部は、図５（Ａ）に示す如く、断熱層２Ｃ相互を気密シート２Ｆを介在して衝合当接し、複合パネル１の外装下地材２Ａ下端には、内方に上昇する傾斜辺２Ｋを配置し、外装下地材２Ａの表面に張着した外装材３の下端３ｄを外装下地材２Ａの下端Ａｄより雨切り段差ｄａ下方に突出して、横目地ｄｘの間隔からの雨水の通気層Ｇ内への浸入を抑制するのが好ましい。
【００２１】
この場合、気密シート２Ｆは、幅２５mmで０．５mm厚のアルデブチル気密シート（（株）アルデエンジニアリングの商品名）を採用し、下方複合パネル１の断熱層２Ｃの前後上端Ｃｔ縁に、断熱層２Ｃの幅方向全長に亘って張着すれば良く、該気密シート２Ｆは、厳寒でも粘着力を保持し、夏でも軟化が無く、耐久性、耐水性、柔軟性、接着性が良く、凹凸面にも追従出来て、打設コンクリートのノロ（セメント液）漏出が阻止出来、通気層Ｇ内からの雨水の毛細管現象による断熱層２Ｃ衝合当接面への浸入が阻止出来る。
【００２２】
また、外装下地材２Ａ下端の内方の上昇する傾斜辺２Ｋ、及び外装材３の下端の突出段差ｄａは、強風時の雨水の通気層Ｇ内への雨滴の浸入を阻止するためであり、典型的には、図５（Ａ）に示す如く、厚さＴ２が１３mmの外装下地材２Ａに、下端Ａｄの損傷を抑制する前後厚３mmの下端辺を配置し、厚さ１０mmに傾斜角５２．５°で傾斜辺２Ｋを高さ１３mmで配置し、外装材３の突出段差ｄａを６mmとするため、雨滴の外装材下端３ｄからの上昇、及び通気層Ｇ内への浸入が抑制出来、実用上、十分な水切り効果が得られる。
この場合、傾斜辺２Ｋには、合成樹脂エマルジョンシーラー（ＪＩＳＫ５６６３）等の吸水止め材２Ｍを付与すれば耐久性が向上する。
【００２３】
従って、複合パネル１の製作準備過程では、外装下地材２Ａの下端Ａｄに幅３mmの辺が存在するため、外装下地材２Ａに欠損を生ずることなくパネル１が製作出来、外装材３の張設作業時には、外装材３の下端３ｄが雨切り段差ｄａ分下方に突出する形態で仕上るだけで、開放横目地ｄｘからの雨水の、重力による浸入には、上方の傾斜辺２Ｋが、表面張力による浸入には雨切り段差ｄａ及び傾斜辺２Ｋが、毛細管現象による浸入には目地幅ｄ６（標準：１２mm）で対応して、通気層Ｇ内への雨水の浸入が抑制出来る。
【００２４】
また、例え、通気層Ｇ内へ雨水が浸入しても、通気層Ｇから下方へ流下放出出来、上下パネルの断熱層２Ｃ衝合当接部への雨水の毛細管現象による浸入は気密シート２Ｆで阻止出来、コンクリート打設時にあっても、セメント液（ノロ）の断熱層２Ｃの当接界面からの通気層Ｇ内への漏出が阻止出来るため、通気層Ｇ（標準厚Ｔ３：１５mm）は設計値通りの換気機能が保証され、且つ雨水の通気層Ｇ内への浸入の抑制された外壁構造が得られる。
【００２５】
また、本発明の通気性断熱複合パネル１相互の上下当接部は、図５（Ａ）に示す如く、上側外装材下端３ｄと下側外装材上端３ｔとの間隔を水膜抑制間隔とし、下側パネル１の外装下地材２Ａの上端にも、内方に上昇する傾斜辺２Ｋ´を配置するのが好ましい。
この場合、外装下地材２Ａの傾斜辺２Ｋ´の上端Ａｔには上端辺（標準幅：３mm）を残しておけば、外装下地材２Ａの取扱い過程での先端の損傷が抑制出来る。
【００２６】
また、水膜抑制間隔とは、水膜の形成されない間隔であって、外装材３の上端３ｔと、上側外装材３の下端３ｄとの隙間（ｄ６）、即ち横目地ｄｘ幅、が水膜で閉止されない限界値（９．１mm）以上の１２mmとすれば良い。
また、下側パネルの傾斜辺２Ｋ´は、典型的には、上側パネル下端の傾斜辺２Ｋと同角度（５２．５°）である。
【００２７】
従って、本発明の開放横目地ｄｘは、図５（Ａ）に示す如く、横目地ｄｘの開放幅ｄ６が水膜の出来ない間隔であるため、横目地ｄｘの水膜形態の雨水に対する風圧作用による通気層Ｇ内への水滴の浸入が抑制出来る。
そして、外装下地材上端の傾斜辺２Ｋ´は、雨水の運動エネルギーによる浸入上昇を抑制し、且つ上方からの降下水は外方へ排除出来る。
【００２８】
そのため、横目地ｄｘは、雨水の浸入に対して、水平方向の風雨時にも、雨水は外装下地材上端の傾斜辺２Ｋ´に衝突して横目地ｄｘから流出し、重力による浸入には上側傾斜辺２Ｋが、表面張力での浸入には、外装下地材の雨切り段差ｄａ及び上側傾斜辺２Ｋが、毛細管現象及び水膜による浸入には横目地間隔ｄ６が、運動エネルギーによる浸入には下側傾斜辺２Ｋ´が対抗し、通気層Ｇは、外気との気圧差が小であるため、通気層Ｇのパネル表面側からの気圧差による雨水の吸引浸入も抑制出来、雨水浸入の抑制された外壁構造を提供する。
【００２９】
また、本発明の通気性断熱複合パネル１相互の上下当接部は、図５（Ｂ）に示す如く、下側パネル１の上端では、外装材３の上端３ｔに、外装下地材２Ａの上端の傾斜辺２Ｋ´の延長形態の傾斜辺を配置し、上端に水返し１７Ｕを備えた防水金具１７を、外装材上端３ｔから外装下地材の傾斜辺２Ｋ´に亘って配置するのが好ましい。
この場合、防水金具１７は、傾斜面１７Ｓ、立上り辺１７Ｆ及び外方に水平屈曲した水返し１７Ｕを備えたアルミ押出成形で準備出来、水返し１７Ｕは、横目地ｄｘから通気層Ｇへの空気流入低下を招くため、短寸が好ましく、典型的には５mmであって、実用に耐えられる。
【００３０】
尚、防水金具１７の止着は、タイル等の外装材３の張着前に、傾斜面１７Ｓから適所でねじ１７Ｂを縦桟２Ｂに打込めば良い。
そして、外装材上端３ｔの傾斜辺は、外装下地材上端Ａｔの傾斜辺２Ｋ´と整合する傾斜であるため、外装材３の外装下地材２Ａ表面への層着は防水金具１７の傾斜面１７Ｓの下面へのスムーズな挿入によりきれいに仕上げられる。
従って、長尺の防水金具１７を配置した横目地ｄｘにあっては、傾斜面１７Ｓが雨水の運動エネルギーによる上昇浸入を抑制し、水返し１７Ｕが風（気流）の上昇を阻止する機能を果すことにより横目地ｄｘから吹き込む雨水の通気層Ｇ内への浸入を実質上阻止する。
そして、傾斜面１７Ｓは、同一傾斜角（５２．５°）の外装下地材３Ａの上端傾斜辺２Ｋ´及び外装材上端３ｔ傾斜辺を保護する。
【００３１】
また、本発明の外壁構造にあっては、図１に示す如く、外壁の、下端の開口Ｍｄ、横目地の開口Ｍｘ及び上端の開口Ｍｕの各開口面積が、少なくとも、通気性断熱複合パネル１の通気層Ｇの各開口面積と同一であるのが好ましい。
この場合、各部位の開口面積とは、その部位での最小の開口断面積であり、通気層Ｇの開口面積は、典型的には、図２（Ｂ）に示す如く、厚さＴ３が１５mmの通気層Ｇ内に、幅ａ１が５０mmの縦桟２Ｂが５本入り、各縦桟２Ｂ間の各通気層幅は、ａ３が１５２．５mm、ａ２が１７７．５mmであるため、１０８．８cm２／ｍである。
【００３２】
そして、横目地ｄｘ内に水返し１７Ｕを備えた防水金具１７を配置する場合には、水返し１７Ｕの短寸化と横目地ｄｘの間隔寸法ｄ６の長寸化で、横目地開口Ｍｘの開口面積維持に対応すれば良く、笠木支持ブラケット５は、縦桟２Ｂ上端の幅（５０mm）内に収まるように配置すれば良い。
従って、外壁の複合パネル被覆層は、複合パネル１での設計開口度（開口面積）となり、空気の流出入経路での、開口面積の狭小化が無いため、外壁の被覆層（複合パネル）のドラフト換気機能は、複合パネル１での設定通気機能を１００％発揮し、複合パネル１内の気圧も外気圧と同一、若しくは近似となり、雨水の外壁内部（複合パネル通気層）への吸引作用が生じない、且つ外装下地材２Ａに対する風圧による剥離作用応力の略１００％（標準：９８％）が、外装下地材２Ａをコンクリート外壁に固定した金具の負担となり、外装下地材２Ａの剥離落下の抑制された外壁が得られる。
【００３３】
また、本発明の外壁構造にあっては、外壁上端では、図１に示す如く、パネル通気層Ｇに干渉しない形態で笠木ブラケット５を縦桟２Ｂの上端Ｂｔに固定し、笠木４を、通気層Ｇからの空気流ａの流出に干渉しないように配置するのが好ましい。
この場合、笠木ブラケット５は、幅（標準：５０mm）が縦桟２Ｂの上端Ｂｔの幅ａ１（５０mm）内に収まるように、即ち縦桟２Ｂの上端面Ｂｔの領域から側方に食み出さないように、上端面Ｂｔに固定すれば良い。
また、笠木５は、パネル通気層Ｇの開口面積以上の、断面積の空間経路で通気層Ｇを外部に連通させれば良い。
従って、外壁上端の開口Ｍｕ部は、複合パネル通気層Ｇの外方への完全開放となり、複合パネル１の外面（外側）と内面（通気層Ｇ内）との気圧差の発生が抑制出来る。
【００３４】
また、本発明の外壁構造にあっては、図４に示す如く、通気性断熱複合パネル１相互の左右当接接合部の縦目地ｄｙ群の複数縦目地毎に、外装下地材２Ａの左右方向伸縮を吸収するためのガスケット１９を挟着した調整縦目地ｄｚを配置するのが好ましい。
この場合、ガスケット１９は、外装下地材２Ａの日射熱による膨張を吸収するためであり、典型的な、厚さＴ２が１３mm、幅ＡＷが９１０mmのオーマルＹＢ−Ｒ（岩倉化学工業（株）製商品名）の外装下地材２Ａでは、太陽日射で６０℃以上になれば、１ｍ当り０．０５mm熱膨張するため、パネル１の左右接続７枚毎にガスケット１９を配置して、各ガスケット１９間の最大熱膨張０．４mmを吸収すれば良い。
【００３５】
そして、ガスケット１９としては、イワキ化成（株）製の肉厚が３mmのゴム製で、商品名ＩＷ−２０２０の、図４（Ｂ）に示す如く、幅１２．５mm、奥行き１７．５mmのガスケットを採用し、目地幅ｄ８を１０mmとして、両側の外装下地材２Ａの側辺、及び両側の外装材３の側辺で圧縮した形態に配置すれば良い。
この場合、ガスケット１９は、両側から圧力の負荷した状態での配置とする。
【００３６】
従って、縦目地ｄｙ群中に、ガスケットを挟着した調整縦目地ｄｚをパネル適数枚（標準：７枚）置きに配置し、横目地ｄｘを開放した外壁は、縦目地ｄｙ群が密閉型で複合パネル１の型枠組み及び外装材３での外装仕上げが容易であると共に、ガスケット１９を備えた調整縦目地ｄｚの介在によって、外装下地材２Ａ及び外装材３の横方向熱伸縮にも対応出来、且つ下端開口Ｍｄ、中央の横目地ｄｘ及び上端開口Ｍｕを備えた、外装材３及び外装下地材２Ａの、外壁からの剥離脱落の抑制された、高層建築にも適用可能な外壁となる。
【００３７】
また、本発明の外壁構造は、図１に示す如く、外壁の下端では、外装下地材２Ａ下端の内方に上昇する傾斜辺２Ｋを配置し、傾斜辺２Ｋ及び傾斜辺２Ｋと対向する断熱層２Ｃの下端外面に、吸水止め材２Ｍを付与し、外装材３の下端３ｄを外装下地材２Ａの下端Ａｄから雨切り段差ｄａ下方に突出させるのが好ましい。
この場合、傾斜辺２Ｋの角度は５２．５°とし、雨切り段差ｄａは６mmとし、吸水止め材２Ｍは合成樹脂エマルジョンシーラー（ＪＩＳＫ５６６３）又はポリマーセメントモルタル（樹脂モルタル）を塗布すれば良い。
【００３８】
従って、外壁構造の下端は、腰水切等の存在しない通気層Ｇの解放形態であるが、外壁を伝う雨水は、複合パネル１の最下端では、外装材下端３ｄと外装下地材下端Ａｄとの段差ｄａ（標準：６mm）で水が切れ、例え強風に雨水が混じっても、外装下地材２Ａの下端は傾斜辺２Ｋの角度（標準：５２．５°）で完全な水切り効果を発揮する。
そして、吸水止め材２Ｍは、開放下端での外装下地材２Ａの傾斜辺２Ｋ及び断熱層２Ｃの露出下端外面からの吸水を阻止し、耐久性を保証する。
【発明の効果】
【００３９】
本発明の外壁構造は、横目地ｄｘを開放形態としてパネル被覆層の内部の通気層Ｇと連通させ、且つ複合パネル被覆層の上端も下端も通気層Ｇを開放しているため、外壁被覆層は、各パネル毎に通気層Ｇと貫通する隙間を備えて被覆層の外部、即ち外装下地材２Ａ及び外装材３の外部、と被覆層内部、即ち通気層Ｇ内、との気圧差が略等圧に維持出来て、外装下地材２Ａ及び外装材３に負荷する負圧力が軽減出来、外装下地材２Ａに対する剥離作用応力の大部分（標準：９８％）は複合パネル１の支持金具の負担となり、外装下地材２Ａ及び外装材３の剥離脱落は抑制出来る。
【００４０】
そして、外壁被覆層を構成する各複合パネル１は、上下の外装下地材２Ａ間が横目地間隔（間隔ｄ６）を保って開放しており、各階の複合パネル１を支持金具（落下防止アンカー）でコンクリート躯体と一体化しているため、高層階の風圧力や、地震時の水平応力にも、各パネルがコンクリート躯体と一体挙動し、層間変形角が大きくなっても、支持金具、即ち落下防止アンカー、の強度によって複合パネルの脱落は阻止出来、上下方向応力負荷にあっても、外装下地材２Ａ相互間の開放横目地ｄｘ間隔の存在、及び断熱層２Ｃの変位追従性によって、コンクリート外壁の被覆層、即ち強度複合パネル層、の破損は抑制出来、本発明外壁構造は、高層建築物にも適用可能な外断熱被覆外壁を提供する。
【図面の簡単な説明】
【００４１】
【図１】本発明外壁構造の一部切欠縦断側面図である。
【図２】本発明に用いる複合パネルの説明図であって、（Ａ）は一部切欠斜視図、（Ｂ）は横断面図、（Ｃ）は（Ｂ）図の部分拡大図である。
【図３】本発明に用いる複合パネルの一部切欠縦断側面図であって、（Ａ）は最上階用複合パネルの、（Ｂ）は中間階用複合パネルの、（Ｃ）は１階用複合パネルの説明図である。
【図４】（Ａ）は、本発明外壁構造の一部切欠横断面図、（Ｂ）は（Ａ）の部分拡大図である。
【図５】（Ａ）は本発明外壁の横目地部の縦断側面図であり、（Ｂ）は（Ａ）の変形例図である。
【図６】本発明の変形例図であって、（Ａ）は外壁構造の一部切欠縦断側面図、（Ｂ）は使用する防水金具の斜視図である。
【図７】従来例１の説明図であって、（Ａ）は外壁上端の縦断側面図、（Ｂ）は横目地部の縦断側面図、（Ｃ）は外壁下端の縦断側面図である。
【図８】従来例２の説明図であって、（Ａ）は断熱パネルの斜視図、（Ｂ）は横目地部の縦断側面図である。
【発明を実施するための形態】
【００４２】
〔複合パネル１（図２、図３）〕
複合パネル（通気性断熱複合パネル）１は、鉄筋コンクリート建物のコンクリート外壁構築時に、コンクリート外壁の外側型枠として型枠組みし、コンクリート打設によってコンクリート外壁の外面を外断熱形態に一体化被覆するパネルであって、最上階用複合パネル（上端パネル）と、中間階用複合パネル（中間パネル）と、１階用複合パネル（下端パネル）とがあり、各上端パネル、中間パネル、下端パネルの３タイプのパネルは、断面構造が同一で、上端及び下端で形状に差異があり、図２（Ａ）は、標準パネル（中間パネル）の斜視図、図２（Ｂ）はパネル横断面図、図３（Ａ）は上端パネル縦断面図、図３（Ｂ）は中間パネル縦断面図、図３（Ｃ）は下端パネル縦断面図である。
【００４３】
複合パネル１の断面構造は、図２（Ｂ）に示す如く、幅ＣＷが９１０mm、厚さＴ４が７５mmの断熱層２Ｃと、幅ＡＷが９１０mm、厚さＴ２が１３mmの外装下地材２Ａとを、幅ａ１が５０mm、厚さＴＢが２０mmの縦桟２Ｂの５本を、縦方向に間隔配置して介在一体化し、各縦桟２Ｂ間の空間を通気層Ｇとしたものである。
各縦桟２Ｂの配置は、図２（Ｂ）に示す如く、幅方向両端の縦桟２Ｂは、外装下地材２Ａの側端辺と面一で、且つ、断熱層２Ｃに対して一側縁１Ｌでは相欠け段差ｄ１（標準：１０mm）入り込み、他側縁１Ｒでは相欠け段差ｄ１（１０mm）突出させ、各縦桟２Ｂの間隔は、両側端部の間隔、即ち両側端部の通気層Ｇの幅が１５２．５mm（ａ３）、中央両側の間隔ａ２が１７７．５mmとし、各縦桟２Ｂは、断熱層２Ｃの層着面２Ｓに切欠配置した深さｄＢが５mmで幅が縦桟２Ｂの幅ａ１である浅い嵌合溝２Ｇ内に、５mm厚だけ入り込んだ形態に配置する。
【００４４】
そして、断熱層２Ｃ、縦桟２Ｂ、外装下地材２Ａの層着一体化は、縦桟２Ｂの裏面を断熱層表面の嵌合溝２Ｇ内に接着剤で一部埋設一体化し、縦桟２Ｂの表面と外装下地材２Ａ裏面とを接着一体化し、外装下地材２Ａの表面から、慣用のねじｎ１の釘打ちを施し、糊釘併用一体化層着する。
得られる複合パネル１は、図２（Ｂ）に示す如く、厚さＴ２が１３mmの外装下地材２Ａと厚さＴＢが２０mmの縦桟２Ｂとが両側端縁では面一で、且つ厚さＴ４が７５mmの断熱層２Ｃに対し、一側端１Ｌでｄ１（１０mm）入り込み、他側端１Ｒでｄ１（１０mm）突出し、深さ（厚さ）Ｔ３が１５mmの通気層Ｇが、両端内側で幅１５２．５mm（ａ３）、中央両側で幅１７７．５mm（ａ２）の４本配置となる。
【００４５】
複合パネル１の材質は、断熱層２Ｃとして、厚さＴ４が７５mm、幅ＣＷが９１０mm、高さＣｈが２７００mm（標準高さ）の押出法ポリスチレン板（ＪＩＳＡ９５１１）を採用し、外装下地材２Ａとして、厚さＴ２が１３mm、幅ＡＷが９１０mm、高さＡｈが２６９０mm（標準高さ）の、軽量（１３kg／ｍ２）で高強度（曲げ強度：１００ｋｇｆ／cm２）の岩倉化学工業（株）製のオーマルＹＢ−Ｒ（商品名）のフェノール樹脂板（両面ガラス繊維混入、火山礫サンドアッシュ、フェノール樹脂板）を採用し、縦桟２Ｂとして、外装下地材２Ａと同一材質（フェノール樹脂板）の、厚さＴＢが２０mm、幅ａ１が５０mm、長さが２７００mmの板材を採用した。
【００４６】
〔上端複合パネル（図３（Ａ））〕
最上階に適用する複合パネル１は、雨水のパネル１内への流入を阻止する笠木を配置する必要があり、図３（Ａ）に示す如く、断熱層２Ｃの上端Ｃｔ内側にパラペットコンクリートが入り込むための幅方向全長に亘る切欠ＣＰ（標準：幅ＴＰが３７．５mm、高さｈｐが５０mm）を配置し、上端面では、断熱層２Ｃ、縦桟２Ｂ及び外装下地材２Ａを面一とし、下端面では、縦桟２Ｂのみ相欠け段差ｄ４（標準：７mm）下方突出させ、外装下地材２Ａには、幅方向全長に亘り、下端Ａｄの補強用小寸辺（標準：３mm）を残して、５２．５°の傾斜辺２Ｋを切削形成し、傾斜辺２Ｋには、吸水止め材２Ｍとして、合成樹脂エマルジョンシーラー（ＪＩＳＫ５６６３）を塗布しておく。
【００４７】
〔中間複合パネル（図３（Ｂ））〕
中間複合パネル１は図３（Ｂ）に示す如く、断熱層２Ｃに対して、断熱層２Ｃの高さＣｈ（２７００mm）と同長の縦桟２Ｂ群を、縦桟上端Ｂｔが断熱層上端Ｃｔより、相欠け接続用段差ｄ４（標準：７mm）下方に入り込み、下端Ｂｄは、断熱層下端Ｃｄより相欠け接続用段差ｄ４下方に突出させる。
また、外装下地材２Ａは、上端Ａｔでは、縦桟上端Ｂｔに揃え、且つ補強用の小寸辺（標準：３mm）を残して外側下方へ５２．５°で傾斜する傾斜辺２Ｋ´を切削形成し、下端Ａｄでは、断熱層下端Ｃｄと揃えて補強用小寸辺（３mm）残して内側上方へ５２．５°で傾斜する傾斜辺２Ｋを切削形成する。
そして、傾斜辺２Ｋ，２Ｋ´には吸水止め材２Ｍ（合成樹脂エマルジョンシーラー）を塗布しておく。
【００４８】
また、断熱層２Ｃの上端Ｃｔの外側及び内側端縁には、幅が２５mm、厚さ０．５mmの剥離紙付き気密シート２Ｆ（（株）アルデエンジニアリング製のアルデブチル気密シート（商品名））を、断熱層２Ｃの幅全長に亘って止着しておく。
尚、該気密シート２Ｆは、厳寒下でも粘着力を保持し、夏でも軟化せず、耐久性、耐水性、柔軟性、接着性が良く、凹凸面にも馴染むもので、型枠組み時に剥離紙を剥がして上下パネルの断熱層２Ｃの衝合当接界面を気密シート２Ｆが密閉すれば、断熱層２Ｃの当接界面への打設コンクリートのセメント液（ノロ）の浸入、漏出及び通気層Ｇからの水の毛細管現象による浸入が阻止出来る。
【００４９】
〔１階用複合パネル（図３（Ｃ））〕
１階用複合パネル１は、図１に示す如く、下端は腰水切等を配置することなく、そのまま開放するものであって、図３（Ｃ）に示す如く、１階パネル上端は、断熱層上端Ｃｔと、縦桟２Ｂ上端Ｂｔ及び外装下地材上端Ａｔとは、段差ｄ４（標準：７mm）を保って、上側パネル下端面との相欠け接合可能とし、外装下地材２Ａの上端Ａｔは、補強用の小寸辺（標準：３mm）を残して５２．５°の傾斜辺２Ｋ´を形成し、傾斜辺２Ｋ´には吸水止め材（合成樹脂エマルジョンシーラー）を塗布し、断熱層２Ｃの前端及び後端に剥離紙付き気密シート２Ｆをパネル幅全長に亘って止着しておく。
【００５０】
また、１階パネル１の下端は、外装下地材２Ａの下端Ａｄと断熱層２Ｃの下端Ｃｄが面一で、外装下地材２Ａの下端Ａｄには、前端に小寸辺（標準：３mm）の補強用平坦面を残して、内側上方へ５２．５°で傾斜する傾斜辺２Ｋを切削加工しており、各縦桟２Ｂ群の下端Ｂｄは、外装下地材傾斜辺２Ｋの上端位置まで入り込んだ形態に配置し、外装下地材下端の傾斜辺２Ｋ、及び断熱層２Ｃの下端前面と底面前縁とには吸水止め材（合成樹脂エマルジョンシーラー）を塗布しておく。
【００５１】
〔外壁の構築（図１、図４）〕
図１に示す如く、コンクリート基礎立上り部８は、複合パネル１の断熱層２Ｃと同質で厚さＴ４´が６０mmの発泡プラスチック断熱板２Ｃ´と、複合パネル１の外装下地材２Ａと同質、同厚の外装下地材２Ａとを層着したパネル厚Ｔ８が７３mmの基礎複合パネル１´を外型枠として、基礎複合パネル１´の上端が基礎立上り部の床スラブ表面Ｓｆよりｄ２（標準：２０mm）下方位置となるように構築しておく。
【００５２】
また、各階の通気性断熱複合パネル１には、予め、図２に示す如く、幅ＡＷの両端２Ｌ，２Ｒ、及び中央の縦桟２Ｂの幅中央で、両端の縦桟位置には４段に、中央の縦桟２Ｂ位置には千鳥形態に３段、計１１本のアンカーボルト挿入用孔ｈｂを穿孔すると共に、中央から左右の縦桟２Ｂ位置上にはセパレータ挿入用孔ｈｓの適数をバランス良く穿孔しておく。
【００５３】
次いで、慣用の手法で、１階用複合パネル１相互を段差ｄ１（標準：１０mm）での相欠け接続で、断熱層２Ｃ相互の衝合当接の下に並列配置すると共に、各パネル１のアンカーボルト挿入用孔ｈｂを介して、１本当り、長期許容剪断力が２９０ｋｇｆ、長期許容引張力が２５０ｋｇｆの落下防止金具（アンカーボルト：図示せず）を１ｍ２当り４本配置し、各散在するセパレータ挿入用孔ｈｓにも、慣用の軸足セパレータ、セパレータ、断熱コーンから成る保持手段を配置し、コンクリート外壁の外型枠を構築し、外壁コンクリート型枠内へコンクリート打設して、コンクリート外壁の外側に通気性断熱複合パネル１層で被覆された外壁を構築する。
【００５４】
そして、中間階には、中間複合パネル１群を、下階複合パネル上に、下側複合パネルの断熱層上端Ｃｔと上側複合パネル断熱層下端Ｃｄとを、断熱層上端Ｃｔと断熱層下端Ｃｄとの当接界面ｄｘ´が床スラブ表面Ｓｆよりｄ２（２０mm）下方となるように、気密シール２Ｆで接着しながら、左右接続及び上下接続を断熱層２Ｃ相互の衝合当接によって、コンクリート外壁の外側型枠として構築し、順次、コンクリート外壁型枠の構築→コンクリート打設、の繰り返しでコンクリート外壁を構築していく。
尚、各階の複合パネル１による型枠組みに際しては、標準幅パネル（ＣＷ：９１０mm）の７枚並列毎に、図４に示す如く、両側の外装下地材２Ａの側辺間に幅ｄ８（標準：１０mm）の目地間隔を保ち、該目地間隔ｄ８内に、肉厚３mm、幅１２．５mm、奥行き１７．５mmの、イワキ化成（株）製の中空ガスケット（商品名：ＩＷ−２０２０）を両側面から押圧する状態で圧入する。
【００５５】
コンクリート外壁の外側型枠組みに際しては、各複合パネル１の左右接続は、縦桟２Ｂの積層形態で強化された外装下地材２Ａ端辺の、接合用段差ｄ１での相欠け接合であるため、外装下地材２Ａの損傷を生ずること無く、単純作業で正確に実施出来た。
また、複合パネル１の上下階間の接続作業にあっても、上方パネル１の縦桟２Ｂの断熱層下端Ｃｄからの突出部ｄ４（標準：７mm）が位置合せ機能を発揮し、作業性が向上した。
【００５６】
また、コンクリート打設圧によるセメント液（ノロ）も、複合パネル１相互の、左右並列接続部が相欠け接合であり、上下接続が断熱層２Ｃの当接界面を気密シール２Ｆで堅実閉止したため、通気層Ｇ内及び縦目地ｄｙへの浸入が阻止出来た。
そのため、縦目地ｄｙ当接面は、きれいな状態に構築出来、縦目地ｄｙへの、慣用の樹脂モルタル＋幅１００mmのジョイントテープ１Ｔや、樹脂モルタルの外装下地材２Ａ層の連続形態仕上げも容易、且つきれいに実施出来た。
【００５７】
そして、外装下地材２Ａの表面には、慣用のタイルを外装材３として張着した、外壁上端では、図３（Ａ）に示す如く、上端複合パネルの外装下地材上端Ａｔ、縦桟上端Ｂｔ、及び断熱層上端Ｃｔが面一であり、且つ、断熱層上端の後部の切欠ＣＰにはパラペットコンクリートＰが充填一体化しているため、図１に示す如く、アングル形態でパネル幅方向寸法が５０mmの笠木ブラケット５をパネル上端の縦桟２Ｂの幅（５０mm）上に載置し、ねじｎ５で縦桟２Ｂ上及び外装下地材２Ａ上に固定し、笠木４は、先端をブラケット５の先端で係止し、後端を断熱層２Ｃの切欠ＣＰ上に充填されたパラペットセメントへのねじｎ９による固定で、前後２点支持の強固な固定となった。
そして、ブラケット５は、縦桟２Ｂ間の通気層Ｇには何ら干渉しないで、且つ、通気層Ｇの開口面積も、ブラケット５の立上り片５Ｐで上方に支承された笠木４と、パネル上端とのスペース形成により、外方への十分な開放面積が付与出来た。
【００５８】
得られた外壁構造にあっては、図１に示す如く、１階用複合パネル１の下端の縦桟２Ｂ群間の通気層Ｇ群から、外装下地材下端の傾斜辺２Ｋの助力の下に、空気流ａが流入して通気層Ｇ内を温度差によりドラフト流として上昇し、各階の開放横目地ｄｘでも、空気流ａの流入流出を許容し、最上階パネル１の上端では、間隔配置したブラケット５の干渉を受けずに空気流ａが外部へ放出する。
【００５９】
そのため、外壁構造は、強風時の正圧に対しては、外装下地材２Ａと外装下地材２Ａを支承する縦桟２Ｂとで風圧力に対抗し、負圧に対しては、外壁内（複合パネル１内）の気密性を低下させたことで、外装下地材２Ａへの風圧負荷を、縦桟２Ｂ、落下防止金具（落下防止アンカー）、及び複合パネル１の構成材料同士の付着力に大半を負担させて風圧力に対抗させるので、薄剛板を複合パネル１の外装下地材２Ａとした本発明の外壁構造は、外装下地材２Ａ及び外装材３の剥離、落下作用の抑制された外壁構造となり、コンクリート建物の中低層建物はもとより、高層建物にも適用可能である。
【００６０】
〔その他〕
図６（Ｂ）に示す如く、断面形状が、傾斜天板２０Ｔの後端から、外方に屈曲した水返し２０Ｕを上端に備えた立上り辺２０Ｂを、傾斜天板２０Ｔの前端から、下端に外方に傾斜降下した斜辺２０Ｓを備えた立下り辺２０Ｆを備えた防水金具２０を、図６（Ａ）に示す如く、横目地ｄｘ間の縦桟２Ｂ及び１階パネル下端の縦桟２Ｂに、ねじｎ２０で配置することも可能である。
この場合、防水金具２０の配置は、横目地ｄｘの開口Ｍｘ及び下端開口Ｍｄの開口面積の減少を抑えて配置する必要がある。
【００６１】
該防水金具２０を付与した場合は、外装材３を張着した外装下地材２Ａに負荷する負圧力を抑制し、且つ外装下地材２Ａ前後の気圧を等圧化して外壁パネル内部への雨水浸入が阻止出来ると共に、横目地ｄｘにあっては、下側外壁の外装下地材上端Ａｔ及び外装材上端３ｔを防水保護し、且つ、傾斜天板２０Ｔで流下雨水を外方に導くため、下側外壁表面の雨水による汚れも軽減出来、下端開口Ｍｄにあっても、開口面積を減ずることなく、外壁下端を流下する雨水による基礎立上り部８の外表面の雨水汚れが抑制出来る。
【符号の説明】
【００６２】
１      通気性断熱複合パネル（複合パネル、パネル）
１´    基礎複合パネル（基礎パネル）
１Ｔ    ジョイントテープ
２Ａ    外装下地材
２Ｂ    縦桟
２Ｃ    断熱層
２Ｃ´  断熱板
２Ｆ    気密シート
２Ｇ    嵌合溝
２Ｋ，２Ｋ´  傾斜辺
２Ｌ，２Ｒ    側端
２Ｍ    吸水止め材
３      外装材
４      笠木
５      笠木ブラケット（ブラケット）
５Ｐ    立上り片
８      コンクリート基礎立上り部（基礎立上り部）
１７，２０  防水金具
１９    ガスケット
１７Ｆ，２０Ｂ  立上り辺
１７Ｕ，２０Ｕ  水返し
１７Ｓ  傾斜面
２０Ｆ  立下り辺
２０Ｓ  斜辺
２０Ｔ  傾斜天板
ＣＦ    コンクリート躯体
ＣＰ    切欠
ｄａ    雨切り段差
ｄｘ    横目地
ｄｙ    縦目地
ｄｚ    調整縦目地
Ｇ      通気層
ｈｂ    ボルト挿入用孔
ｈｓ    セパレータ挿入用孔
Ｍｄ    下端開口（開口）
Ｍｕ    上端開口（開口）
Ｍｘ    横目地開口（開口）
ｎ１，ｎ５，ｎ９，ｎ１７，ｎ２０  ねじ
Ｓｆ    床スラブ表面
【図１】
2010255194.tif 000003
【図２】
2010255194.tif 000004
【図３】
2010255194.tif 000005
【図４】
2010255194.tif 000006
【図５】
2010255194.tif 000007
【図６】
2010255194.tif 000008
【図７】
2010255194.tif 000009
【図８】
2010255194.tif 000010